(57)【特許請求の範囲】
【請求項１】
シャフトの先端部にヘッドを装着し、該ヘッドのフェース面のロフト角を番手が大きくなるほど順次大きくなるように設定した少なくとも３番から９番アイアンのゴルフクラブＡ３〜Ａ９と、ピッチングウェッジＰＷと、サンドウェッジＳＷとからなる複数本のゴルフクラブを含むゴルフクラブセットにおいて、
前記ゴルフクラブのうち３番から６番アイアンのゴルフクラブＡ３〜Ａ６のロフト角を２０〜３０°の範囲にすると共に、前記フェース面のリーディングエッジのシャフト軸線に対する前進量ＦＰを５〜２０ｍｍとし、前記ヘッドの重心のシャフト軸線に対する後退量ＧＲを５〜１０ｍｍとし、前記ヘッドの重心とシャフト軸線との距離ＧＬを２０〜３５ｍｍとし、前記ヘッドの重心から前記フェース面に下ろした垂線と該フェース面との交点の高さＧＨを１１〜２１ｍｍとし、
かつ、前記３番アイアンのゴルフクラブＡ３からサンドウェッジＳＷまでの全ゴルフクラブについて、前記ロフト角が大きくなるに連れて、前記前進量ＦＰ及び距離ＧＬを徐々に小さくし、前記後退量ＧＲ及び高さＧＨを徐々に大きくしたゴルフクラブセット。
【請求項２】
前記３番から６番アイアンのゴルフクラブＡ３〜Ａ６のロフト角が２１〜３０°の範囲にあるとき、前記前進量ＦＰを９〜１２ｍｍとし、前記後退量ＧＲを６〜９ｍｍとし、前記距離ＧＬを２７〜２８．５ｍｍとし、前記高さＧＨを２０．４〜２１ｍｍとした請求項１に記載のゴルフクラブセット。
【発明の詳細な説明】
【０００１】
【発明の属する技術分野】
本発明は、ヘッド寸法を適切に設定したゴルフクラブ及びゴルフクラブセットに関し、更に詳しくは、打球方向性や飛距離を改善したゴルフクラブ及びゴルフクラブセットに関する。
【０００２】
【従来の技術】
アイアンゴルフクラブセットは、ロングアイアンからショートアイアンまでの１０本程度を具備し、各番手で異なる飛距離（数ｍ〜約２００ｍ）が出るようにクラブ長さやロフト角を種々異ならせた構成になっている。
【０００３】
一般に、アイアンゴルフクラブは、番手が小さいロングアイアン側のクラブほどロフト角を小さくし、かつクラブ長さを長くして飛距離を得やすくする一方で、番手が大きいショートアイアン側のクラブほどロフト角を大きくし、かつクラブ長さを短くすることで、ボールを上げやすくすると共にランを少なくして方向性を重視するようにしている。
【０００４】
上記ゴルフクラブセットでは、フェースプログレッション等のヘッド寸法をクラブ間で徐々に変化させているが、必ずしも全てのクラブが最適な寸法に設定されていなかった。そのため、特にロングアイアンではスウィートスポットが高過ぎてボールを上げにくく、ヘッド重心とシャフト軸線との距離が長過ぎてボールが右に行き易いなどの問題を生じていた。
【０００５】
【発明が解決しようとする課題】
本発明の目的は、ヘッド寸法を適切に設定することで打球方向性や飛距離の改善を可能にしたゴルフクラブセットを提供することにある。
【０００６】
【課題を解決するための手段】
上記目的を達成するための本発明のゴルフクラブセットは、シャフトの先端部にヘッドを装着し、該ヘッドのフェース面のロフト角を番手が大きくなるほど順次大きくなるように設定した少なくとも３番から９番アイアンのゴルフクラブＡ３〜Ａ９と、ピッチングウェッジＰＷと、サンドウェッジＳＷとからなる複数本のゴルフクラブを含むゴルフクラブセットにおいて、前記ゴルフクラブのうち３番から６番アイアンのゴルフクラブＡ３〜Ａ６のロフト角を２０〜３０°の範囲にすると共に、前記フェース面のリーディングエッジのシャフト軸線に対する前進量ＦＰを５〜２０ｍｍとし、前記ヘッドの重心のシャフト軸線に対する後退量ＧＲを５〜１０ｍｍとし、前記ヘッドの重心とシャフト軸線との距離ＧＬを２０〜３５ｍｍとし、前記ヘッドの重心から前記フェース面に下ろした垂線と該フェース面との交点の高さＧＨを１１〜２１ｍｍとし、かつ、前記３番アイアンのゴルフクラブＡ３からサンドウェッジＳＷまでの全ゴルフクラブについて、前記ロフト角が大きくなるに連れて、前記前進量ＦＰ及び距離ＧＬを徐々に小さくし、前記後退量ＧＲ及び高さＧＨを徐々に大きくしたことを特徴とするものである。
【０００９】
このようにロフト角を２０〜３０°の範囲にした所謂ロングアイアンと呼ばれるゴルフクラブのヘッド寸法を最適な値に設定し、これを基準にしてゴルフクラブセットを構成することにより、セット全体として打球方向性と飛距離を改善することができる。特に、ロフト角が大きくなるに連れて、距離ＧＬを徐々に小さくし、高さＧＨを徐々に高くすると良い。ロフト角が大きくなるに連れて高さＧＨを徐々に高くした場合、所謂ショートアイアンと呼ばれるゴルフクラブの打球方向性を更に向上することができる。
【００１０】
本発明のゴルフクラブセットは、ゴルフクラブとして３番〜９番アイアンのほかサンドウェッジやピッチングウェッジ等の各種ウェッジを含むものであるが、必ずしも全部について上記ヘッド寸法を適用する必要はなく、一部に適用外のゴルフクラブを含んでいても良い。
【００１１】
【発明の実施の形態】
以下、本発明の構成について添付の図面を参照しながら詳細に説明する。
【００１２】
図１は本発明の実施形態からなるゴルフクラブセットを例示するものであり、ゴルフクラブＡ３〜Ａ９（３番〜９番アイアン）と、ゴルフクラブＰＷ（ピッチングウェッジ）と、ゴルフクラブＳＷ（サンドウェッジ）との９本から構成されている。また、各ゴルフクラブは、シャフトＳの後端部にグリップ１が装着され、先端部にヘッド２が取り付けられた構成になっている。
【００１３】
これらゴルフクラブＡ３〜Ａ９，ＰＷ，ＳＷは、番手が大きくなるほどロフト角Ｘ（°）が大きくなると共にクラブ長さが短くなるように設定されている。即ち、ゴルフクラブＡ３〜Ａ９，ＰＷ，ＳＷは、番手が大きくなるほど打球飛距離が短くなるように設定されている。例えば、ゴルフクラブＡ３〜Ａ９，ＰＷ，ＳＷのロフト角Ｘは、２０°，２３°，２６°，２９°，３３°，３７°，４１°，４６°，５６°に設定されている。
【００１４】
図２及び図３は本発明におけるヘッド寸法を示すものである。但し、図２はヘッドを所定のロフト角Ｘとなるように水平面Ｈの上に配置した状態を示す側面図であり、図３はヘッドをシャフト軸方向から見た斜視図である。図２示すように、フェイス前進量ＦＰはフェース面３のリーディングエッジのシャフト軸線Ｓ1 に対する前進量である。重心後退量ＧＲはヘッド２の重心Ｇのシャフト軸線Ｓ1 に対する後退量である。図３に示すように、重心距離ＧＬはヘッド２の重心Ｇとシャフト軸線Ｓ1 との距離である。また、図２に示すように、重心高さＧＨはヘッド２の重心Ｇからフェース面２に下ろした垂線と該フェース面２との交点（スウィートスポット）の水平面Ｈに対する高さである。
【００１５】
上記ゴルフクラブセットにおいて、ロフト角Ｘが２０〜３０°の範囲にあるゴルフクラブＡ３〜Ａ６は、フェース前進量ＦＰが５〜２０ｍｍの範囲に設定され、重心後退量ＧＲが５〜１０ｍｍの範囲に設定され、重心距離ＧＬが２０〜３５ｍｍの範囲に設定され、重心高さＧＨが１１〜２１ｍｍの範囲に設定されている。しかも、全てのゴルフクラブＡ３〜Ａ９，ＰＷ，ＳＷは、ロフト角Ｘが大きくなるに連れて、フェース前進量ＦＰが徐々に小さなり、重心後退量ＧＲが徐々に大きくなり、重心距離ＧＬが徐々に小さくなり、重心高さＧＨが徐々に大きくなるように設定されている。
【００１６】
上記ゴルフクラブセットにおいて、ロフト角Ｘを２０〜３０°の範囲にしたゴルフクラブＡ３〜Ａ６からなるロングアイアンは、フェース前進量ＦＰが大きく、しかも重心高さＧＨが低くボールを上げ易いため飛距離の増大が可能である。また、重心後退量ＧＲ及び重心距離ＧＬが最適の範囲に設定されているので、左右への打球のバラツキを生じにくく方向性が優れている。フェース前進量ＦＰや重心高さＧＨが上記範囲から外れると飛距離の増大効果が不十分になり、また重心後退量ＧＲ及び重心距離ＧＬが上記範囲から外れると良好な方向性が得られなくなる。
【００１７】
上記ゴルフクラブセットは、上記ロングアイアンの設定値を基準とし、ロフト角Ｘが大きくなるに連れて、フェース前進量ＦＰを徐々に小さくし、重心後退量ＧＲを徐々に大きくし、距離ＧＬを徐々に小さくしているので、セット全体としても方向性と飛距離の点で従来のゴルフクラブセットよりも優れている。特に、ロフト角が大きくなるに連れて、高さＧＨを徐々に高くした場合、ゴルフクラブＡ７〜Ａ９，ＰＷ，ＳＷからなるショートアイアンにおいて、ギア効果によるボールのスピン量を増やして方向性を良好にし、着弾後のランを減少させることができる。
【００１８】
【実施例】
フェース面のロフト角を種々異ならせた複数本のゴルフクラブを含むゴルフクラブセットにおいて、フェース面のリーディングエッジのシャフト軸線に対する前進量ＦＰ、ヘッド重心のシャフト軸線に対する後退量ＧＲ、ヘッド重心とシャフト軸線との距離ＧＬ、ヘッド重心からフェース面に下ろした垂線と該フェース面との交点の高さＧＨを、表１〜表４のように設定した従来セット１，２、比較セット及び本発明セットをそれぞれ製作した。
【００１９】
これら試験セットについて、５人の上級ゴルファーによる試打を行い、その打出角、打球直後のスピン量、飛距離を測定すると共に、方向性の指標としてセンターラインに対するボールのずれ量を測定し、その結果を表１〜表４に併せて示した。打出角、スピン量、飛距離の評価結果は、従来セット１を１００とする指数にて示した。これら指数値が大きいほど打出角、スピン量、飛距離の測定値が大きいことを意味する。また、方向性の評価結果は、測定値の逆数を用い、従来セット１を１００とする指数にて示した。この指数値が大きいほど方向性が良好であることを意味する。
【００２０】
【表１】
0004306912.tif 000002
【００２１】
【表２】
0004306912.tif 000003
【００２２】
【表３】
0004306912.tif 000004
【００２３】
【表４】
0004306912.tif 000005
【００２４】
この表１〜表４から明らかなように、本発明セットのロングアイアンはボールを上げやすいため飛距離が大きく、方向性も良好であった。また、本発明セットのショートアイアンはスピン量が多く、コントロール性が良好であった。
【００２５】
【発明の効果】
以上説明したように本発明によれば、フェース前進量ＦＰ、重心後退量ＧＲ、重心距離ＧＬ、重心高さＧＨを最適な値にしたので、ロングアイアンでは打球方向性を良好にしながら飛距離を増加させ、ショートアイアンではボールのスピン量を多くして打球方向性を良好にすることが可能になる。
【図面の簡単な説明】
【図１】本発明の実施形態からなるゴルフクラブセットを構成する複数本のアイアンゴルフクラブをそれぞれ一部省略して示す側面図である。
【図２】本発明のゴルフクラブセットを構成するゴルフクラブのヘッドを所定のロフト角となるように水平面上に配置した状態を示す側面図である。
【図３】本発明のゴルフクラブセットを構成するゴルフクラブのヘッドをシャフト軸方向から見た斜視図である
【符号の説明】
１  グリップ
２  ヘッド
３  フェース面
Ｓ  シャフト
Ｓ1   シャフト軸線
Ａ３〜Ａ９，ＰＷ，ＳＷ  ゴルフクラブ
Ｈ  水平面
Ｇ  重心
Ｘ  ロフト角
ＦＰ  フェイス前進量
ＧＲ  重心後退量
ＧＬ  重心距離
ＧＨ  重心高さ
【図１】
0004306912.tif 000006
【図２】
0004306912.tif 000007
【図３】
0004306912.tif 000008